(57)【特許請求の範囲】
【請求項１】
登録済の利用者に割り当てられた第１認証用データを記憶している利用者データ記憶手段を備えたサーバーと、前記サーバーにインターネット経由でアクセス可能な端末装置と、前記端末装置に着脱可能な外部装置とを備えた認証システムであって、
前記外部装置は、
データ記録媒体から第２認証用データを読み取るデータ読み取り手段と、
前記端末装置が前記サーバーにアクセスする処理を前記端末装置に実行させるためのコマンドを記憶しているコマンド記憶手段と、
前記第２認証用データと前記コマンドを前記端末装置に出力する出力手段と、を備えており、
前記端末装置は、
前記外部装置から出力されたコマンドに従って前記サーバーにアクセスする処理を実行するアクセス手段と、
前記外部装置から出力された第２認証用データを入力し、該第２認証用データをインターネット経由で前記サーバーに送信するデータ送信手段と、を備えており、
前記サーバーは、
前記端末装置から送信されてきた前記第２認証用データを受信して、該第２認証用データに対応する前記第１認証用データが前記利用者データ記憶手段に記憶されている場合、前記端末装置により前記第２認証用データを送信してきた利用者が登録済の利用者であると判断する認証手段，を備えており、
さらに、
前記サーバーは、
前記利用者データ記憶手段において前記第１認証データに対応する第１パスワードを記憶しており、
前記外部装置は、
前記端末装置に取り付けられた際に、パスワードの入力を促すべき旨のメッセージ，および，パスワードの入力フォームを有する認証用ページを前記端末装置に出力する入力指令手段，を備えており、
前記端末装置は、
前記外部装置から前記認証用ページを入力した際に、該認証用ページを表示部に表示させることにより、端末装置の利用者に対してパスワードを入力させる入力要求手段と、
パスワードを入力可能なパスワード入力手段と、を備え、
前記データ送信手段が、前記外部装置から出力された第２認証用データを前記サーバーに送信すると共に、前記外部装置から前記認証用ページを入力した際に前記パスワード入力手段によって入力された第２パスワードを前記サーバーに送信して、
前記サーバーは、
前記端末装置から送信されてきた前記第２認証用データおよび前記第２パスワードを受信して、該第２認証用データに対応する第１認証用データが前記利用者データ記憶手段に記憶されていて、かつ、該記憶されている第１認証用データに対応する第１パスワードが前記受信した第２パスワードに対応するものである場合、前記認証手段が、前記端末装置により前記第２認証用データおよび前記第２パスワードを送信してきた利用者が登録済の利用者であると判断する
ことを特徴とする認証システム。
【請求項２】
前記外部装置が、前記端末装置に取り付けられると、前記端末装置に前記コマンドを出力するように構成されている
ことを特徴とする請求項１に記載の認証システム。
【請求項３】
前記端末装置が、携帯電話機または携帯情報端末である
ことを特徴とする請求項１または請求項２に記載の認証システム。
【請求項４】
登録済の利用者に割り当てられた第１認証用データを記憶している利用者データ記憶手段を備えたサーバーと、前記サーバーにインターネット経由でアクセス可能な端末装置と、前記端末装置に着脱可能な外部装置とを備えていて、
前記外部装置が、データ記録媒体から第２認証用データを読み取るデータ読み取り手段と、前記端末装置が前記サーバーにアクセスする処理を、前記端末装置に実行させるためのコマンドを記憶しているコマンド記憶手段と、前記第２認証用データと前記コマンドを前記端末装置に出力する出力手段とを備えている認証システムを利用して、
前記端末装置が、前記外部装置から出力されたコマンドに従って前記サーバーにアクセスする処理を実行すると共に、前記外部装置から出力された第２認証用データを入力し、該第２認証用データをインターネット経由で前記サーバーに送信して、
前記サーバーが、前記端末装置から送信されてきた前記第２認証用データを受信して、該第２認証用データに対応する第１認証用データが前記利用者データ記憶手段に記憶されている場合、前記端末装置により前記第２認証用データを送信してきた利用者が登録済の利用者であると判断しており、
さらに、
前記サーバーは、前記利用者データ記憶手段において前記第１認証データに対応する第１パスワードを記憶しており、
前記外部装置は、前記端末装置に取り付けられた際に、パスワードの入力を促すべき旨のメッセージ，および，パスワードの入力フォームを有する認証用ページを前記端末装置に出力して、
前記端末装置は、パスワードを入力可能なパスワード入力手段を備えており、前記外部装置から出力された第２認証用データを前記サーバーに送信すると共に、前記外部装置から前記認証用ページを入力した際に、該認証用ページを表示部に表示させることにより、端末装置の利用者に対してパスワードを入力させ、該認証用ページの表示後に前記パスワード入力手段によって入力された第２パスワードを前記サーバーに送信して、
前記サーバーは、前記端末装置から送信されてきた前記第２認証用データおよび前記第２パスワードを受信して、該第２認証用データに対応する第１認証用データが前記利用者データ記憶手段に記憶されていて、かつ、該記憶されている第１認証用データに対応する第１パスワードが前記受信した第２パスワードに対応するものである場合、前記認証手段が、前記端末装置により前記第２認証用データおよび前記第２パスワードを送信してきた利用者が登録済の利用者であると判断する
ことを特徴とする認証方法。
【発明の詳細な説明】
【０００１】
【発明の属する技術分野】
本発明は、端末装置によってサーバーにアクセスしてきた利用者があらかじめ登録されている利用者であることを認証するための認証システムおよび認証方法に関する。
【０００２】
【従来の技術】
現在、銀行取引などのサービスは、ＡＴＭのような専用端末の他、インターネット上のウェブサイトでも利用できるようになっている。
このようなサービスを提供しているウェブサイトは、通常、サービスの内容が記載されたサービス提供用ウェブページ、あらかじめ登録された利用者であることを認証するための認証用ウェブページなどで構成されており、利用者がサービス提供用のウェブページにアクセスするには、認証用ウェブページの入力フォームに必要な項目を入力して、登録された利用者であることの認証を行わなければならないようになっている。あらかじめ登録された利用者には、利用者識別用のＩＤやパスワードなどが割り当てられているため、このＩＤやパスワードに基づいて登録された利用者であることを認証することになる。これによって、利用者はサービス提供用のウェブページにアクセスし、サービスの提供を受けることができた。
【０００３】
【発明が解決しようとする課題】
しかし、このようにインターネット上でのサービスと、専用端末でのサービスと両方が行われているサービスにおいては、インターネット上でのサービスの方が、あらかじめ登録された利用者であることの認証を行い、サービスの提供を受けるまでの一連の操作が複雑になっていることが多かった。例えば、銀行取引においては、通常、インターネット上での取り引きをする際の認証に必要となるパスワードが、銀行に設置されたＡＴＭで取り引きをする際の認証に必要となるパスワード（暗証番号）に比べて大幅に長くなっており、また、銀行のウェブサイトにアクセスするといった操作も必要となるため、ＡＴＭによる取り引きに比べて、サービスの提供を受けるまでに複雑な操作が必要であった。そして、このような複雑な操作を煩雑と感じる利用者にとってインターネットでのサービスは、利用しにくいものとなっていた。
【０００４】
本発明は、インターネット経由でサービスの提供を受けるまでに複雑な操作が必要ない認証システムおよび認証方法を提供することを目的とする。
【０００５】
【課題を解決するための手段および発明の効果】
上記問題を解決するため第１の構成に係る認証システムは、
登録済の利用者に割り当てられた第１認証用データを記憶している利用者データ記憶手段を備えたサーバーと、前記サーバーにインターネット経由でアクセス可能な端末装置と、前記端末装置に着脱可能な外部装置とを備えた認証システムであって、
前記外部装置が、データ記録媒体から第２認証用データを読み取るデータ読み取り手段と、前記端末装置が前記サーバーにアクセスする処理を、前記端末装置に実行させるためのコマンドを記憶しているコマンド記憶手段と、前記第２認証用データと前記コマンドを前記端末装置に出力する出力手段とを備えており、
前記端末装置が、前記外部装置から出力されたコマンドに従って前記サーバーにアクセスする処理を実行すると共に、前記外部装置から出力された第２認証用データを入力し、該第２認証用データをインターネット経由で前記サーバーに送信して、
前記サーバーが、前記端末装置から送信されてきた前記第２認証用データを受信して、該第２認証用データに対応する前記第１認証用データが前記利用者データ記憶手段に記憶されている場合、前記端末装置により前記第２認証用データを送信してきた利用者が登録済の利用者であると判断する
ことを特徴とする。
【０００６】
この認証システムにおけるデータ記録媒体は、第２認証用データを記録したものであれば、その具体的な構成や形状は限定されない。例えば、磁気によってデータを記録する磁気カードや、内蔵されたメモリにデータを記録するＩＣカードなどを利用することができる。このデータ記録媒体に記録されている第２認証用データとしては、例えば、サーバー側のデータベースに第１認証用データとの対応関係があらかじめ登録されているデータ、第１認証用データと同一のデータ、または、所定の符号化、複合化の手順に従って第１認証用データに変換できるデータなどを利用することができる。
【０００７】
また、外部装置のデータ読み取り手段としては、例えば、磁気カードやＩＣカードからデータを読み出す機能を備えたカードリーダを利用することができる。
また、データ読み取り手段は、例えば、外部装置に設けられた操作部が操作された際に、データの読み取りを開始可能な待機状態となるように構成すればよい。また、端末装置において所定の操作が行われた際に、前記待機状態となるように構成してもよい。
【０００８】
また、外部装置が、コマンド記憶手段が記憶しているコマンドに従って端末装置を制御するように構成されていてもよいし、端末装置が外部装置のコマンド記憶手段からコマンドを読み出し、そのコマンドに従って動作するように構成されていてもよい。
【０００９】
このように構成された認証システムによれば、端末装置が、外部装置から出力されたコマンドに従ってサーバーにアクセスする処理を実行するので、端末装置の操作部での入力操作に従ってサーバーにアクセスする処理を実行していた従来の構成ほど面倒な操作を必要としない。また、利用者の認証に必要な第２認証用データは、データ読取手段によってデータ記録媒体から読み取られるので、利用者の認証のために、長いデータ列を端末装置の操作部から入力する必要もない。したがって、この認証システムによれば、従来よりも簡単な操作でインターネット経由のサービスの提供を受けることができる。
【００１０】
ところで、上述のように第２認証用データのみで登録済の利用者であることの認証を行う構成においては、登録済の利用者以外の第三者がデータ記録媒体を不正に取得した場合に、この第三者によって、登録済の利用者のみが利用可能なサービスを不正に利用される恐れがある。
【００１１】
そこで、第２の構成に係る認証システムのように、
前記サーバーの備える前記利用者データ記憶手段が、前記第１認証データに対応する第１パスワードを記憶していて、
前記端末装置が、パスワードを入力可能なパスワード入力手段を備えており、前記第２認証用データと、前記パスワード入力手段によって入力された第２パスワードとを前記サーバーに送信して、
前記サーバーが、前記端末装置から送信されてきた前記第２認証用データおよび前記第２パスワードを受信して、該第２認証用データに対応する第１認証用データが前記利用者データ記憶手段に記憶されていて、かつ、該記憶されている第１認証用データに対応する第１パスワードが前記受信した第２パスワードに対応するものである場合、前記端末装置により前記第２認証用データおよび前記第２パスワードを送信してきた利用者が登録済の利用者であると判断するとよい。
【００１２】
この認証システム１におけるパスワード入力手段は、端末装置に備えられたキーボードや入力ボタンなどの入力デバイスである。
このように構成された認証システムによれば、第２認証用データと第２パスワードとを併せて認証を行うように構成されているため、登録済の利用者以外の第三者がデータ記録媒体を利用した場合でも、正しい第２パスワードをサーバーに送信しなければ認証されないため、登録済の利用者のみが利用可能なサービスを第三者によって不正に利用されるといったことを防止できる。
【００１３】
また、前記端末装置が、パスワードを入力可能なパスワード入力装置を備えていて、
該パスワード入力手段によって入力された第２パスワードを記憶可能で該第２パスワードを前記端末装置に出力するパスワード出力装置を備えており、
前記端末装置が、前記第２認証用データと、前記パスワード出力装置から出力された第２パスワードとを前記サーバーに送信して、
前記サーバーが、前記端末装置から送信されてきた前記第２認証用データおよび前記第２パスワードを受信して、該第２認証用データに対応する第１認証用データが前記利用者データ記憶手段に記憶されていて、かつ、該記憶されている第１認証用データに対応する第１パスワードが、前記受信した第２パスワードに対応するものである場合、前記端末装置により前記第２認証用データおよび前記第２パスワードを送信してきた利用者が登録済の利用者であると判断する
ように構成してもよい。
【００１４】
この認証システムにおけるパスワード出力装置は、外部装置と一体に構成された装置でああればよいが、外部装置とは別体の装置であってもよい。
このように構成されていれば、端末装置が、サーバーに送信する第２パスワードをパスワード記憶装置から入力するため、パスワード記憶装置にあらかじめ第２パスワードを記憶させておけば、第２パスワードを入力する手間を省くことができる。
【００１５】
また、第３の構成に係る認証装置は、
前記外部装置が、前記端末装置に取り付けられると、前記端末装置に前記コマンドを出力するように構成されている
ことを特徴とする。
【００１６】
このように構成された認証システムによれば、外部装置を端末装置に取り付けるだけでコマンドが端末装置に出力されるため、コマンドを端末装置に出力するための特別な操作が必要ない。
また、第４の構成に係る認証システムは、
前記端末装置が、携帯電話機または携帯情報端末である
ことを特徴とする。
【００１７】
このように構成された認証システムによれば、外出先であってもインターネット経由でサービスの提供を受けることができる。
また、第５の構成に係る認証方法は、
登録済の利用者に割り当てられた第１認証用データを記憶している利用者データ記憶手段を備えたサーバーと、前記サーバーにインターネット経由でアクセス可能な端末装置と、前記端末装置に着脱可能な外部装置とを備えていて、
前記外部装置が、データ記録媒体から第２認証用データを読み取るデータ読み取り手段と、前記端末装置が前記サーバーにアクセスする処理を前記端末装置に実行させるためのコマンドを記憶しているコマンド記憶手段と、前記第２認証用データと前記コマンドを前記端末装置に出力する出力手段とを備えている認証システムを利用して、
前記端末装置が、前記外部装置から出力されたコマンドに従って前記サーバーにアクセスする処理を実行すると共に、前記外部装置から出力された第２認証用データを入力し、該第２認証用データをインターネット経由で前記サーバーに送信して、
前記サーバーが、前記端末装置から送信されてきた前記第２認証用データを受信して、該第２認証用データに対応する第１認証用データが前記利用者データ記憶手段に記憶されている場合、前記端末装置により前記第２認証用データを送信してきた利用者が登録済の利用者であると判断する
ことを特徴とする。
【００１８】
このように構成された認証方法によれば、上述の認証システムを利用して、上述の第１の構成に係る認証システムと同様の作用効果を得ることができる。
また、第６の構成に係る認証方法は、
前記サーバーの備える前記利用者データ記憶手段が、前記第１認証データに対応する第１パスワードを記憶していて、
前記端末装置が、パスワードを入力可能なパスワード入力手段を備えており、前記第２認証用データと、前記パスワード入力手段によって入力された第２パスワードとを前記サーバーに送信して、
前記サーバーが、前記端末装置から送信されてきた前記第２認証用データおよび前記第２パスワードを受信して、該第２認証用データに対応する第１認証用データが前記利用者データ記憶手段に記憶されていて、かつ、該記憶されている第１認証用データに対応する第１パスワードが前記受信した第２パスワードに対応するものである場合、前記端末装置により前記第２認証用データおよび前記第２パスワードを送信してきた利用者が登録済の利用者であると判断する
ことを特徴とする。
【００１９】
このように構成された認証方法によれば、上述の認証システムを利用して、上述の第２の構成に係る認証システムと同様の作用効果を得ることができる。
【００２０】
【発明の実施の形態】
次に本発明の実施の形態について例を挙げて説明する。
なお、本実施形態においては、インターネット経由で銀行取引のサービスを提供している銀行側が、銀行取引を行おうとしている利用者が正当な利用者であることを認証するために利用する認証システム１を例示する。
【００２１】
［全体構成］
認証システム１は、図１に示すように、サーバー１０、携帯電話機２０、携帯電話機２０に着脱可能な外部装置３０、認証用カード４０などで構成される。
サーバー１０は、ＣＰＵ１１、ハードディスク（以降、ＨＤとする）１２、通信装置１３、ディスプレイ１４、キーボード１５などを備えた周知のコンピュータシステムによって構成されるものであり、通信装置１３を介してインターネット１００に接続されている。このうちのＨＤ１２には、それぞれ異なる接続アドレス（ＵＲＬ）が割り当てられた複数のウェブページが記憶されている。記憶されているウェブページには、認証するために必要な入力項目の入力フォームを備えた認証用ウェブページ、各種の取り引きを行うための取引用ウェブページ（残高照会用ウェブページ、振込用ウェブページ、振替用ウェブページ）、取引用ウェブページの送信をサーバー１０に要求するための選択項目（以降、ウェブページへのリンク項目とする）を備えた取引メニュー用ウェブページ、認証できなかったことを通知するためのエラー通知用ウェブページなどがある。さらに、ＨＤ１２には、銀行に口座を持っている利用者の個人情報が記載された利用者リストが記憶されている（本発明における利用者データ記憶手段としての機能）。この利用者リストには、口座を持っている利用者の名前、住所、電話番号、口座番号（本発明における第１認証用データ）、暗証番号（本発明における第１パスワード）、携帯電話機２０の電子メールアドレスといった固定情報の他、口座内の預金額、取引に関する情報（過去に行った取引の内容、現在行っている取引の内容など）といった可変情報が含まれている。
【００２２】
携帯電話機２０（本発明における端末装置）は、表示装置２１、入力ボタン２２（本発明におけるパスワード入力手段）、マイク２３ａおよびスピーカ２３ｂで構成される通話装置２３、コネクタ部２４などを備えている。また、この携帯電話機２０は、図２に示すように、携帯電話機２０全体を制御するマイクロコンピュータ（以降、マイコンとする）２５、マイコン２５が実行する処理手順や電話帳データなどを記憶している記憶装置２６、音声通信およびデータ通信を行う通信装置２７などを内蔵している。さらに、この携帯電話機２０には、ＷＷＷブラウザおよび電子メールクライアントが組み込まれており、このＷＷＷブラウザの機能を利用して、サーバー１０にウェブページの送信を要求するための要求データを送信することができ、この要求データを受信したサーバー１０から送信されてきたウェブページを表示装置２１に表示することができる。なお、ＷＷＷブラウザを使って要求データをサーバー１０に送信する方法には、表示したいウェブページの接続アドレスを入力する方法と、表示したいウェブページへのリンク項目を備えたウェブページを表示装置２１に表示した状態で、このリンク項目を選択する方法とがある。
【００２３】
外部装置３０は、コネクタ部３１、認証用カード４０に記録されたデータを読み取り可能な読み取り部３２（本発明におけるデータ読み取り手段）、起動ボタン３３、起動ランプ３４、確認ランプ３５などを備えており、コネクタ部３１を携帯電話機２０のコネクタ部２４と接続することによって、携帯電話機２０に取り付けることができるようになっている。また、この外部装置３０は、図２に示すように、外部装置３０全体を制御するマイクロコンピュータ（以降、マイコンとする）３６、マイコン３６が実行する処理手順、携帯電話機２０を制御する制御信号で構成されているコマンドデータなどを記憶している記憶装置３７（本発明におけるコマンド記憶手段）などを内蔵している。この記憶装置３７に記憶されているコマンドデータは、携帯電話機２０に接続可能なキーボードにおいてキー入力した際に出力されるデータと同様のデータで構成されるものであって、携帯電話機２０の備えるＷＷＷブラウザを起動するキー入力操作と同様の処理を携帯電話機２０に実行させるものと、認証用ウェブページをサーバー１０に要求するキー入力操作と同様の処理を携帯電話機２０に実行させるものがある。そして、このコマンドデータは、コネクタ部３１が携帯電話機２０のコネクタ部２４と接続されたことをマイコン３６が検出した場合に、コネクタ部３１を介して順次出力されるものである。なお、このコマンドデータを出力する処理は、記憶装置３７に記憶されている処理手順に基づいてマイコン３６が実行するものであって、この処理手順に従って認証用データまたはコマンドデータを出力するマイコン３６は、本発明における出力手段として機能するものである。
【００２４】
この外部装置３０は、起動ボタン３３を押している間だけ、読み取り部３２によるデータの読み取りが可能な待機状態となり、起動ランプ３４が点灯する。ここで、読み取り部３２に設けられた溝３２ａに認証用カード４０を通すことによって、読み取り部３２が認証用カード４０に記録された認証用データを読み取る。そして、認証用データの読み取りが正常に行われた場合には確認ランプ３５が点灯し、コネクタ部３１を介して認証用データが出力される。また、この処理は、記憶装置３７に記憶されている処理手順に基づいてマイコン３６が実行するものであって、この処理手順に従って認証用データを出力するマイコン３６は、本発明における出力手段として機能するものである。
【００２５】
なお、読み取り部３２によって読み取られた認証用データを記憶装置３７に一旦記憶するように構成してもよく、この場合、外部装置３０に操作ボタンを設けて、この操作ボタンが操作された場合に認証用データを携帯電話機２０に出力するようにすればよく、また、コネクタ部３１、２４を介して接続された携帯電話機２０により所定の操作が行われたことを検出した場合に、携帯電話機２０に認証用データを出力するように構成してもよい。
【００２６】
認証用カード４０（本発明におけるデータ記録媒体）は、口座を持っている利用者に対して銀行側から配布された磁気カードであって、各利用者を特定するための認証用データ（本発明における第２認証用データ）が磁気ストライプ部４２に記録されている。認証用データは、各利用者の口座番号が含まれたデータである。なお、認証用データは、利用者リストにおける口座番号以外のデータ（例えば、利用者の名前、住所、電話番号など）で構成されたデータであってもよい。また、認証用データは、利用者リスト以外の内容を示すデータでもよく、このようなデータと利用者とを一対一に対応させた対応テーブルに基づいて利用者が特定できるようになっていればよい。また、認証用データは、利用者リスト中の一部のデータを所定の暗号化手順に従って暗号化したデータでもよい。
【００２７】
［携帯電話機２０のマイコン２５による取引準備処理］
次に、携帯電話機２０の備えるマイコン２５が実行する取引準備処理を図３に基づいて説明する。この取引準備処理は、外部装置３０から出力されたコマンドデータを入力することによって開始される。
【００２８】
まず、マイコン２５は、コマンドデータに基づく処理を実行する（ｓ１１）。この処理においてマイコン２５は、入力したコマンドデータに基づいてＷＷＷブラウザを起動して、認証用ウェブページをサーバー１０に要求する。サーバー１０からは、この要求に応じて認証用ウェブページが送信されてくる。
【００２９】
次に、マイコン２５は、サーバー１０から送信されてくる認証用ウェブページを受信して表示装置２１に表示させる（ｓ１２）。この処理においては、図４（ａ）に示すように、認証用カード４０の読み取りを促すメッセージと、暗証番号を入力する入力フォームが記載された認証ウェブページが表示される。なお、暗証番号を入力する入力フォームは、外部装置３０の読み取り部３２による認証用データの読み取りが終了することによって、入力可能になるものである。なお、ここで入力される暗証番号は、本発明における第２パスワードに相当するものである。
【００３０】
次に、マイコン２５は、認証項目入力処理を行う（ｓ１３）。この処理では、まず、マイコン２５は、認証用データの入力待ちとなる。ここで利用者が、外部装置３０の読み取り部３２に認証用カード４０を通すと、認証用カード４０に記録された認証用データが読み取り部３２によって読み取られ、その認証用データが外部装置３０から出力される。マイコン２５は、この認証用データを入力して、暗証番号の入力待ちとなる。ここで利用者が、入力ボタン２２を操作して暗証番号を入力した後に、表示装置２１に画像として表示されている決定ボタン２１ａを選択すると認証項目入力処理が終了する。ここで入力フォームに入力される暗証番号は、覗き見た第三者に知られないように、実際に入力した数字ではなく文字「＊」で表示される。
【００３１】
なお、ここでは、認証用データを入力した後に暗証番号を入力するように構成されているが、暗証番号を入力した後に認証用データを入力するように構成してもよく、認証用データおよび暗証番号をいずれからでも入力できるように構成してもよい。
【００３２】
次に、マイコン２５は、認証用データおよび暗証番号をサーバー１０に送信する（ｓ１４）。この処理において、認証用データおよび暗証番号は、画像として表示された決定ボタン２１ａを選択する操作が行われた際に送信される。この認証用データおよび暗証番号を受信したサーバー１０では、後述する利用者認証処理によって、認証用データで特定される利用者が利用者リストに存在するかどうか、さらに、受信した暗証番号が正しいものであるかどうかがチェックされる。このチェックの結果、利用者リストに存在する利用者であって、暗証番号が正しいものであれば、サーバー１０から取引メニュー用ウェブページが送信されてくる。一方、利用者が利用者リストに存在しない、または、暗証番号が正しくなければ、サーバー１０からエラー通知用ウェブページが送信されてくる。なお、利用者が利用者リストに存在しない場合とは、例えば、異なる銀行の認証用カードを読み取らせた場合、認証用カード以外のカードを読み取らせた場合などのことである。
【００３３】
次に、マイコン２５は、サーバー１０から送信されてくるウェブページを受信して表示装置２１に表示させる（ｓ１５）。この処理で、取引メニュー用ウェブページを受信した場合、図４（ｂ）に示すように、取引メニュー用ウェブページが表示装置２１に表示される。この取引メニュー用ウェブページから、各種の取り引きをおこなうための取引用ウェブページをサーバー１０に要求することができる。一方、この処理で、エラー通知用ウェブページを受信した場合、図４（ｃ）に示すように、認証できなかったことを通知するメッセージが記載されたエラー通知用ウェブページが表示装置２１に表示される。
【００３４】
ｓ１５の処理で、取引メニュー用ウェブページが表示された場合、以降、各種の取り引きが行えるようになる。取り引きメニュー用ウェブページには、各種取引用ウェブページへのリンク項目が備えられており、利用者は、このリンク項目を選択する操作を携帯電話機２０により行うことによって、希望する取引用ウェブページをサーバー１０に要求することができる。取引用ウェブページには、残高照会用ウェブページ、振込用ウェブページ、振替用ウェブページがある。そして、この要求を受けてサーバー１０から送信されてきたウェブページを受信した携帯電話機２０は、表示装置２１にウェブページを表示装置２１を表示する。
【００３５】
利用者が、携帯電話機２０によって残高照会用ウェブページをサーバー１０に要求した場合、サーバー１０では、利用者リストから口座内の預金額が記載されたウェブページを残高照会用ウェブページとして作成し、携帯電話機２０に送信する。
【００３６】
また、利用者は、振込を行う場合、携帯電話機２０を操作して表示装置２１に振込用ウェブページを表示させてから、支払先金融機関の種類を選択、支払先金融機関名を入力、支店名を入力、口座の種類を選択、といった操作を順次行った後、振込金額を入力する。こうして振込金額の入力が終了した後、利用者は、取り引き内容を確認して取り引きを終了する操作を行う。
【００３７】
また、利用者は、振替を行う場合、携帯電話機２０を操作して表示装置２１に振替用ウェブページを表示させてから、支店名を入力、口座の種類を選択、といった操作を順次行った後、振替金額を入力する。こうして振替金額の入力が終了した後、利用者は、取り引き内容を確認して取り引きを終了する操作を行う。
【００３８】
なお、上記実施形態では、振込または振替を行う際に、支店名を入力、口座の種類を選択などの操作を順次おこなう場合を例示したが、従来、支払先金融機関の種類、支払先金融機関名、支店名、口座の種類といった情報には、あらかじめ番号が割り当てられているため、口座番号を含めて、全てを数字のみで入力できるように構成してもよい。携帯電話機２０の入力ボタン２２は、主に数字の入力を行うためのものであるため、上述のように構成されていれば、振込または振替をおこなうための操作を簡単にすることができる。
【００３９】
また、振込と振替のような口座内の資金移動を伴う取り引きに関しては、携帯電話機２０による取り引きが行われた後、実際に口座内の預金を移動する前に最終確認のための電子メールを携帯電話機２０に送信するようにするとよい。不正に認証用カード４０を取得した第三者が取り引きを行おうとする場合は、利用者リストにおいて登録されている携帯電話機２０とは異なる端末装置によって、振込や振替を行うことになるため、最終確認のための電子メールを受信することができない。よって、このような最終確認のための電子メールを携帯電話機２０に送信して、この電子メールを携帯電話機２０により返信してきた場合のみ実際に資金の移動を行うようにすれば、第三者によって不正に取り引きが行われてしまうといったことを防止できる。
【００４０】
［サーバー１０のＣＰＵ１１による利用者認証処理］
次に、サーバー１０の備えるＣＰＵ１１が実行する利用者認証処理を図５に基づいて説明する。この利用者認証処理は、携帯電話機２０から認証用ウェブページの要求を受けることによって開始される。
【００４１】
まず、ＣＰＵ１１は、認証用ウェブページを携帯電話機２０に送信する（ｓ２１）。この処理で送信される認証ウェブページは、図３におけるｓ１２の処理で携帯電話機２０が受信するものである。
次に、ＣＰＵ１１は、携帯電話機２０から送信されてくる認証用データおよび暗証番号を受信する（ｓ２２）。この処理で受信する認証用データおよび暗証番号は、図３におけるｓ１４の処理で携帯電話機２０から送信されてくるものである。
【００４２】
次に、ＣＰＵ１１は、ｓ２２の処理で受信した認証用データで特定される利用者が利用者リストの中に存在する場合（ｓ２３：ＹＥＳ）、その利用者の暗証番号と、ｓ２２の処理で受信した暗証番号とが同一であれば（ｓ２４：ＹＥＳ）、登録された正当な利用者であると判断して、携帯電話機２０に取引メニュー用ウェブページを送信する（ｓ２５）。この処理で送信する取引メニュー用ウェブページは、図３におけるｓ１５の処理で携帯電話機２０が受信するものである。
【００４３】
一方、ＣＰＵ１１は、ｓ２２の処理で受信した認証用データで特定される利用者が利用者リストの中に存在しない場合（ｓ２３：ＮＯ）、または、ｓ２４の処理で、利用者リストの中に存在する利用者の暗証番号とｓ２２の処理で受信した暗証番号とが同一でない場合（ｓ２４：ＮＯ）、登録された利用者でない、または、正当な利用者でないと判断して、携帯電話機２０にエラー通知用ウェブページを送信する（ｓ２６）。この処理で送信する取引メニュー用ウェブページは、図３におけるｓ１５の処理で携帯電話機２０が受信するものである。
【００４４】
こうして、ｓ２５の処理またはｓ２６の処理を終えることによって、利用者認証処理を終了する。
［効果］
このように構成された認証システム１によれば、携帯電話機２０が、外部装置３０から出力されたコマンドデータに従ってサーバー１０にアクセスする処理を実行するので、携帯電話機２０の入力ボタン２２での入力操作に従ってサーバー１０にアクセスする処理を実行していた従来の構成ほど面倒な操作を必要としない。また、利用者の認証に必要な認証用データは、外部装置３０によって認証用カード４０から読み取られるので、利用者の認証のために、長いデータ列を携帯電話機２０の入力ボタン２２から入力する必要もない。したがって、この認証システム１によれば、従来よりも簡単な操作でインターネット経由のサービスの提供を受けることができる。
【００４５】
また、認証用データとパスワードとを併せて認証を行うように構成されているため、登録済の利用者以外の第三者が認証用カード４０を利用した場合でも、正しいパスワードをサーバー１０に送信しなければ認証されないため、第三者によって不正に取り引きが行われるといったことを防止できる。
【００４６】
また、携帯電話機２０であるため、外出先であってもインターネット経由で取り引きを行うことができる。
［変形例］
以上、本発明の実施形態について説明したが、本発明は上記の具体的な一実施形態に限定されず、このほかにも様々な形態で実施することができる。
【００４７】
例えば、本実施形態においては、認証システム１を銀行取引を行おうとする利用者を認証するために利用した場合を例示したが、インターネット１００上で、登録済の正当な利用者であることを認証する必要がある場面であれば、この認証システム１を利用することができる。
【００４８】
また、本実施形態においては、銀行側の所有するサーバー１０が１台のコンピュータシステムで構成されているものを例示したが、認証を行うための認証用サーバー、利用者の口座に関するデータを持っている口座用サーバーといったように複数のコンピュータシステムによって認証システムを構成してもよい。この構成の場合、特に、口座用サーバーに関しては、インターネット１００から分離した状態で認証用サーバーと接続しておくことが、不正アクセスなどを防止する上では好適である。
【００４９】
また、認証システム１の構成の一つである携帯電話機２０の代わりに携帯情報端末やその他のコンピュータシステムを利用してもよい。
また、本実施形態においては、認証用カード４０が磁気カードであるものを例示したが、内蔵するメモりに認証用データを記録できるＩＣカードを利用してもよい。この場合、外部装置３０の読み取り部３２は、ＩＣカードから認証用データを読み取り可能な構成とする。また、認証用データが記録されているものがカード状の認証用カード４０であるものを例示したが、認証用データを記録することができればその形状はカード状だけに限定されない。
【００５０】
また、本実施形態においては、認証用ウェブページが、サーバー１０から送信されてくるように構成されたものを例示したが、認証用ウェブページは、サーバー１０から送信されてくるものでなくてもよい。具体的な例として、外部装置３０の記憶装置３７に、認証用ウェブページと同様に、認証用データの読み取りを促すメッセージと暗証番号の入力フォームとを備えた認証用ページを記憶しておき、外部装置３０が携帯電話機２０に接続された際には、認証用ページを携帯電話機２０の表示装置２１に表示させるように構成すればよい。また、認証用ウェブページを携帯電話機２０の表示装置２１に表示することなく、認証用データおよび暗証番号を直接サーバー１０に送信するように構成してもよい。これらの場合、データ通信を行う回数およびサーバー１０への負荷を減らすことができる。
【００５１】
また、本実施形態においては、外部装置３０が、携帯電話機２０に接続された際に、コマンドデータを携帯電話機２０に出力するように構成されたものを例示したが、外部装置３０を携帯電話機２０に接続した後、携帯電話機２０による所定の操作が行われた後に、コマンドデータが携帯電話機２０に出力されるように構成してもよい。また、外部装置３０に操作ボタンを設けて、この操作ボタンが操作された際に、コマンドデータが携帯電話機２０に出力されるように構成してもよい。この場合、特に、外部装置３０の記憶装置３７に、複数のコマンドデータを記憶しておき、携帯電話機２０で行われた操作に応じて異なるコマンドデータを出力するように構成すれば、一の認証装置で複数のウェブページをサーバー１０に要求することができる。
【００５２】
また、携帯電話機２０の入力ボタン２２により入力された暗証番号を、あらかじめ外部装置３０の記憶装置３７に記憶できるようにして、外部装置３０が、読み取った認証用データを携帯電話機２０に出力する際に、記憶されている暗証番号をも出力するように構成すればよい。このように構成されていれば、携帯電話機２０が、サーバー１０に送信する暗証番号を外部装置３０から入力するため、外部装置３０の記憶装置３７にあらかじめ暗証番号を記憶させておけば、暗証番号を入力する手間を省くことができる。
【００５３】
なお、本実施形態においては、認証データおよび暗証番号を利用することによって認証を行っているが、認証を行う際に、認証データおよび暗証番号以外のデータを利用してもよい。例えば、指紋、音声、顔、眼球などの生体情報（バイオメトリクス）を併用することが考えられる。
【００５４】
この生体情報を利用した認証方法（生体情報方式）を併用するためには、生体情報を読み取る生体情報読み取り手段と、該生体情報読み取り手段が読み取った生体情報から該生体情報に対応する生体識別データを作成するデータ作成手段と、登録済の利用者の生体情報に対応する生体識別データを記憶している利用者データ記憶手段と、前記生体情報読み取り手段によって読み取られた生体情報が、前記利用者データ記憶手段によって記憶されている生体識別データに対応するものである場合に、該生体情報を読み取らせた利用者が登録済の利用者であると判断する判断手段とを備えたことを特徴とするシステムを上記実施形態に組み込めばよい。
【００５５】
この構成における生体情報は、指紋、音声、顔、眼球などにおける特徴点であり、例えば、指紋においては隆線（模様をつくっている盛り上がり部分）のパターン、音声においては声に含まれる周波数成分や発生の抑揚、顔においては輪郭や目、鼻、口の配置、眼球においては、網膜の血管配置や虹彩（角膜と水晶体の間にある輪状の膜）の模様などである。
【００５６】
また、生体情報読み取り手段は、例えば、指紋においては、半導体センサ（接触式）や光学式センサ（非接触式）、音声においてはマイク、顔および眼球においてはカメラなどである。
また、データ作成手段が作成する生体識別データは、読み取り手段により読み取られた生体情報に基づいて生成されるものであって、読み取った生体情報と同一のものでもよく、生体情報に対応して生成される数値データであってもよい。
【００５７】
このように構成されたシステムを併用することで、認証データおよび暗証番号のみで認証を行う場合に比べて、第三者によって不正に取り引きが行われてしまうといったことが起こりにくい。
なお、このような生体情報方式で認証を行う場合においては、登録済の利用者であると正確に判断できるように照合の精度を高くすることが望ましいが、生体情報は生体の汚れや体調によって変化してしまうことがあるため、照合の精度を高めれば高めるほど、登録済の利用者を第三者であると判断してしまう本人拒否率が高くなってしまう恐れがある。しかし、本人拒否率を低くするために照合の精度を低くしてしまうと、第三者を登録済の利用者であると判断してしまう確率を示す他人許容率が高くなるという問題がある。
【００５８】
そこで、前記生体情報読み取り手段が、複数の生体情報を読み取り可能に構成されていて、前記利用者データベースが、登録済の一の利用者に対して複数の生体識別データを記憶しており、前記判断手段が、前記生体情報読み取り手段によって読み取られた複数の生体情報それぞれが、前記利用者データ記憶手段によって記憶されている複数の生体識別データそれぞれに対応するものである場合に、該生体情報を読み取らせた利用者が登録済の利用者であると判断するように構成すればよい。
【００５９】
このように構成した場合、生体情報読み取り装置によって読み取られる生体情報における本人拒否率を低くすることによって、他人許容率が高くなってしまっても、複数の生体情報により認証をおこなうため、総合的には他人許容率を低くすることができる。
【図面の簡単な説明】
【図１】認証システムの実施形態を示す図
【図２】携帯電話機および外部装置の制御系統を示すブロック図
【図３】携帯電話機のマイコンが実行する取引準備処理を示すフローチャート
【図４】携帯電話機の表示装置に表示されるウェブページを示す図
【図５】サーバーのＣＰＵが実行する利用者認証処理を示すフローチャート
【符号の説明】
１・・・認証システム、１・・・本認証システム、１０・・・サーバー、１１・・・ＣＰＵ、１２・・・ハードディスク、１３・・・通信装置、１４・・・ディスプレイ、１５・・・キーボード、２０・・・携帯電話機、２１・・・表示装置、２２・・・入力ボタン、２３・・・通話装置、２４・・・コネクタ部、２５・・・マイコン、２６・・・記憶装置、２７・・・通信装置、３０・・・外部装置、３１・・・コネクタ部、３２・・・読み取り部、３３・・・起動ボタン、３４・・・起動ランプ、３５・・・確認ランプ、３６・・・マイコン、３７・・・記憶装置、４０・・・認証用カード。
【図１】
0004343459.tif 000002
【図２】
0004343459.tif 000003
【図３】
0004343459.tif 000004
【図４】
0004343459.tif 000005
【図５】
0004343459.tif 000006